(57)【要約】【課題】  ユーザが、銀塩写真を前記アルバムにレイアウトする如く、フォルダ名および画像ファイル名を表示部に表示させることなく、容易に画像データを記録装置に取り込み保存できること。【解決手段】  外部記憶媒体がインターフェース部に接続されたときに、入力画像データの有無を判断し、入力画像データが有る場合は、該入力画像データを表示部に表示させる画像表示工程と、記憶装置の中に設けられている複数の記憶領域から一または複数の記憶領域をユーザに選択させる選択工程と、前記表示された入力画像データの保存の可否についてユーザによる決定を受ける決定工程と、前記決定工程により保存「可」の決定がされた場合に前記選択された記憶領域内に画像データを保存する保存工程を有することを特徴とする。【選択図】図１
2006212852.tif 000002
【特許請求の範囲】
【請求項１】
ホストコンピュータを介さずに外部記憶媒体と着脱可能に接続するインターフェース部と、
画像データを表示する表示部と、
画像データを記憶する記憶装置と、
前記表示部及び記録装置の動作を制御する制御部とを備えた記録装置であって、
前記制御部は、
前記外部記憶媒体が前記インターフェース部に接続されたときに、入力画像データの有無を判断し、前記入力画像データが有る場合は、該入力画像データを表示し、
前記記憶装置の中に設けられている複数の記憶領域の中から一または複数の記憶領域の選択をユーザによって受け、
前記表示部に表示された入力画像データの保存可否についてユーザによる決定を受け、保存「可」の決定がされた場合に前記選択された記憶領域内に画像データを保存するように構成されていることを特徴とする記録装置。
【請求項２】
請求項１において、前記選択をユーザから受ける選択手段を備え、該選択手段は、前記複数の記憶領域と同数のスイッチであることを特徴とする記録装置。
【請求項３】
請求項２において、前記スイッチは機械式プッシュスイッチであり、前記制御部は、前記選択された情報を表示部に表示させることを特徴とする記録装置。
【請求項４】
請求項１において、前記選択をユーザから受ける選択手段を備え、該選択手段は、機械式ロータリスイッチであることを特徴とする記録装置。
【請求項５】
請求項４において、前記機械式ロータリスイッチで選択する前記記憶領域のグループ名は前記表示部に表示されることを特徴とする記録装置。
【請求項６】
ホストコンピュータを介さずに外部記憶媒体と着脱可能に接続するインターフェース部と、
画像データを表示する表示部と、
画像データを記憶する記憶装置とを備えた記録装置の画像データ保存方法であって、
前記外部記憶媒体が前記インターフェース部に接続されたときに、入力画像データの有無を判断し、前記入力画像データが有る場合は、該入力画像データを前記表示部に表示させる画像表示工程と、
前記記憶装置の中に設けられている複数の記憶領域から一または複数の記憶領域をユーザに選択させる選択工程と、
前記表示された入力画像データの保存の可否をユーザに決定させる決定工程と、
前記決定工程により保存「可」の決定がされた場合に前記選択された記憶領域内に画像データを保存する保存工程を有することを特徴とする画像データ保存方法。
【発明の詳細な説明】
【技術分野】
【０００１】
本発明は、外部記憶媒体から入力する画像データを記録装置内の記憶装置に保存する画像データ保存方法、および該画像データ保存方法を備えた記録装置に関するものである。
【背景技術】
【０００２】
従来については、ホストコンピュータを介さずに、外部記憶媒体から画像データを記録装置に取り込んで、記録装置内の内部記憶装置に保存していた。ホストコンピュータを介さないため、記録装置には例えば液晶画面などの表示部を設けた機種があり、記録装置の表示部を用いて操作していた。実際に操作するときは、先ず、外部記憶媒体の画像データの一覧が、表示部に表示される。このとき、表示されるのは、フォルダ名、画像ファイル名、および撮影日時（データ作成日時）等であり、フォルダ名と画像ファイル名とが主従関係のようにツリー状に表示される場合もある。
【０００３】
ユーザは、これらの画像データを記録装置の内部記憶装置に取り込んで保存する操作を実行する。このまま、ただ単に画像データを内部記憶装置に取り込むのでは、いつ撮影した画像データが、どこのフォルダに、どれだけの数あるかを把握するのが困難であった。そのため、従来では、例えば特許文献１のように、フォルダ名毎、あるいは撮影日時等の画像データに付された属性データ、所謂、プロパティによって関連付けをして、それぞれの画像データを関連付けされたフォルダ毎にまとめる作業をプログラム等により実行させていた。
【０００４】
【特許文献１】特開２００４−２７２４９５号公報
【発明の開示】
【発明が解決しようとする課題】
【０００５】
しなしながら、前記ツリー状のフォルダ名と画像ファイル名を表示させる方法では、ただ単に、ホストコンピュータの役割を記録装置が代行しているだけと言える。従って、コンピュータの操作に精通していないユーザ、特に年配者や幼児が、表示部に表示されたツリー状のフォルダ名と画像ファイル名とを見ても、どのように操作してよいのか解らず困惑するといった問題も生じる。
【０００６】
また、表示部にフォルダ名や画像ファイル名を表示させただけでは、実際の画像データがどのような画像であるかを、ユーザは理解するのが困難である。まして、前記プログラム等を実行させて前記プロパティによってフォルダ毎にまとめたのでは、実際にどのような画像データが、どのフォルダに入っているのかを理解することができないといった問題が生じる。  
さらに、保存先のフォルダを選択したくても、前記ツリーのどの階層に該フォルダが存在するのか理解できず、探すことが困難で扱いにくいといった問題も生じる。
【０００７】
本発明は、このような状況に鑑み成されたものであり、その課題は、銀塩写真を背表紙の付いたアルバムに保存する感覚で操作することができる保存方法を備えた記録装置である。  
即ち、ユーザに表示部に表示された入力画像データを見させた後、背表紙の付いたアルバムを選ぶ如く、ファイル名を表示させることなく保存場所を選択させる選択手段、銀塩写真を前記アルバムにレイアウトする如く、フォルダ名および画像ファイル名を表示部に表示させることなく、容易に画像データを記録装置に取り込み保存の決定をさせる決定手段とを備えた記録装置を提供することである。
【課題を解決するための手段】
【０００８】
上記課題を達成するため、本発明の第１の態様は、ホストコンピュータを介さずに外部記憶媒体と着脱可能に接続するインターフェース部と、画像データを表示する表示部と、画像データを記憶する記憶装置と、前記表示部及び記録装置の動作を制御する制御部とを備えた記録装置であって、前記制御部は、前記外部記憶媒体が前記インターフェース部に接続されたときに、入力画像データの有無を判断し、前記入力画像データが有る場合は、該入力画像データを表示し、前記記憶装置の中に設けられている複数の記憶領域の中から一または複数の記憶領域の選択をユーザによって受け、前記表示部に表示された入力画像データの保存可否についてユーザによる決定を受け、保存「可」の決定がされた場合に前記選択された記憶領域内に画像データを保存するように構成されていることを特徴とする記録装置である。
【０００９】
本発明の第１の態様によれば、前記制御部は前記外部記憶媒体が前記インターフェース部に接続されたときに、入力画像データの有無を判断し、前記入力画像データが有る場合は、該入力画像データを表示し、前記記憶装置の中に設けられている複数の記憶領域の中から一または複数の記憶領域の選択をユーザによって受け、前記表示部に表示された入力画像データの保存可否についてユーザによる決定を受け、保存「可」の決定がされた場合に前記選択された記憶領域内に画像データを保存するように構成されている。即ち、選択した一または複数の記憶領域を、画像データが保存される保存先記憶領域とすることができる。従って、前記選択によって、例えばテーマ毎に複数あるアルバムの中から１つのアルバム「運動会」を選択するように、前記保存先記憶領域「運動会」を選択することができる。また、入力画像データが表示されることが可能なので、１枚１枚画像データの内容を見ながら保存するか否かを決定することができる。即ち、ユーザは、ツリー状に表示されたフォルダ名および画像ファイル名を見ることなく操作することができるので、操作方法に困惑する虞がない。例えばデジタルカメラで撮影した運動会の画像データの内容を１枚１枚見て、家族みんなで思い出を楽しみながらアルバムとしての保存先記憶領域「運動会」にまとめて保存することができる。このように操作が容易なため、コンピュータの操作に精通していない年配者や幼児でも操作することができ、記録装置の対象年齢層の幅を拡げることができる。
【００１０】
本発明の第２の態様は、第１の態様において、前記選択をユーザから受ける選択手段を備え、該選択手段は、前記複数の記憶領域と同数のスイッチであることを特徴とする記録装置である。  
本発明の第２の態様によれば、第１の態様と同様の作用効果に加え、前記選択手段は、前記複数の記憶領域と同数のスイッチであるので、ユーザは前記複数の記憶領域の中から前記保存先の記憶領域を表示部において探す必要がなく、前記同数のスイッチによって容易にアルバムとしての保存先の記憶領域を選択することができる。即ち、各スイッチと各記憶領域のフォルダとが対応している。従って、該フォルダがツリー状のどの階層に存在しようと関係なく、該フォルダを選択することができる。例えば、ラベル「運動会」が付されたスイッチをワンタッチで選択するだけで、記憶領域「運動会」のフォルダを選択することが可能である。また、タッチパネル式の表示部に表示された複数の記憶領域の中から保存先の記憶領域をワンタッチで選択することも可能である。さらに、予め記憶装置の中に複数フォルダが設けられているので、新たにフォルダを作成するといった煩雑な操作を必要としない。
【００１１】
本発明の第３の態様は、第２の態様において、前記スイッチは機械式プッシュスイッチであり、前記制御部は、前記選択された情報を表示部に表示させることを特徴とする記録装置である。  
表示部に触れて操作するタッチパネル式の場合、コンピュータの操作に精通していないユーザは、どこに触れてよいか理解できない虞がある。  
そこで、本発明の第３の態様によれば、第２の態様と同様の作用効果に加え、前記スイッチは機械式プッシュスイッチであるので、コンピュータの操作に精通していないユーザでも、どこを押して操作するのか一目瞭然である。従って、該ユーザでも操作方法に困惑することなく、容易に操作することができる。
【００１２】
また、前記制御部は、前記選択された情報を表示部に表示させるので、ユーザが選択した後、即ち、スイッチから手を離した後であっても、ユーザは、何が選択されているかを容易に知ることができる。ここで、機械式プッシュスイッチとは、手を離した後もＯＮ／ＯＦＦ状態が維持されるラッチングタイプや、手を離すとＯＦＦの状態に戻るモーメンタリタイプが挙げられる。従って、モーメンタリタイプであっても、前記選択された情報が表示部に表示されるので、ユーザは、何が選択されているかを容易に知ることができる。  
さらに、スイッチを色分けすることも可能である。例えば、親がスイッチの色を指示することにより、字を読むことができない幼児でも、操作することができる。
【００１３】
本発明の第４の態様は、第１の態様において、前記選択をユーザから受ける選択手段を備え、該選択手段は、機械式ロータリスイッチであることを特徴とする記録装置である。  
本発明の第４の態様によれば、第１の態様と同様の作用効果に加え、前記選択手段は、機械式ロータリスイッチであるので、スイッチ１つでシンプル、かつ、スイッチを回すだけで操作を簡単にすることができる。例えば、前記機械式ロータリスイッチのダイヤル部に記憶領域のグループ名、または該グループのイラストを記載して、現在、どのグループが選択されているかを示すことも可能である。
【００１４】
本発明の第５の態様は、第４の態様において、前記機械式ロータリスイッチで選択する前記記憶領域のグループ名は前記表示部に表示されることを特徴とする記録装置である。  
本発明の第５の態様によれば、第４の態様と同様の作用効果に加え、前記機械式ロータリスイッチで選択する前記記憶領域のグループ名は前記表示部に表示されるので、表示部に大きくグループ名または該グループを連想させるイラストを表示することが可能である。さらに、ダイヤル部にグループ名、または該グループのイラストを記載された機械式ロータリスイッチであっても、前記ダイヤル部を小さくすることが可能である。
【００１５】
本発明の第６の態様は、ホストコンピュータを介さずに外部記憶媒体と着脱可能に接続するインターフェース部と、画像データを表示する表示部と、画像データを記憶する記憶装置とを備えた記録装置の画像データ保存方法であって、前記外部記憶媒体が前記インターフェース部に接続されたときに、入力画像データの有無を判断し、前記入力画像データが有る場合は、該入力画像データを前記表示部に表示させる画像表示工程と、前記記憶装置の中に設けられている複数の記憶領域から一または複数の記憶領域をユーザに選択させる選択工程と、前記表示された入力画像データの保存の可否をユーザに決定させる決定工程と、前記決定工程により保存「可」の決定がされた場合に前記選択された記憶領域内に画像データを保存する保存工程を有することを特徴とする画像データ保存方法である。
【００１６】
本発明の第６の態様によれば、画像データ保存方法は、前記記憶装置の中に設けられている複数の記憶領域から一または複数の記憶領域をユーザに選択させる選択工程と、前記表示された入力画像データの保存の可否についてユーザによる決定を受ける決定工程と、前記決定工程により保存「可」の決定がされた場合に前記選択された記憶領域内に画像データを保存する。即ち、選択されたグループを画像データが保存される保存先グループとすることができる。  
例えば、前記画像表示工程によって入力画像データが表示されるので、ユーザに１枚１枚画像データの内容を見させながら、前記選択工程によって、例えばテーマ毎に複数あるアルバムの中から１つのアルバム「運動会」を選択されるように、前記保存先の記憶領域「運動会」を選択させることができる。そして、前記決定工程によって保存するかを決定させることができる。即ち、ユーザは、ツリー状に表示されたフォルダ名および画像ファイル名を見ることなく操作することができるので、操作方法に困惑する虞がない。
【００１７】
また、前記画像表示工程によって表示された１枚１枚画像データの内容を見させながら、先に前記決定工程によって保存するかを決定させてから、前記選択工程によって、例えば前記保存先の記憶領域「運動会」を選択させることができるのは勿論である。
【００１８】
これらは、先にアルバムとしての保存先の記憶領域を選択するか、先に写真の保存の可否を決定するかの点において異なる。画像データを容易に保存することができるのは共通であるが、ユーザによってどちらが使い勝手がよいかでも異なる。また、複数の入力画像データの画像内容が、一つのテーマに統一されていれば、一つの記憶領域のグループにまとめることが好ましいので、先にアルバムを選択する画像データ保存方法を用いるのがよい。一方、複数の入力画像データの画像内容が、一つのテーマに統一されていなければ、先に画像写真を見てから各テーマ別の記憶領域のグループごとにまとめるのが好ましいので、後にアルバムを選択する画像データ保存方法を用いるのがよい。  
このように操作が容易なため、コンピュータの操作に精通していない年配者や幼児でも、操作することができ、記録装置の対象年齢層の幅を拡げることができる。
【発明を実施するための最良の形態】
【００１９】
以下、本発明の実施の形態を図面に基づいて説明する。  
図１は、本発明の本発明に係る実施形態の記録装置の制御方法を示すブロック図である。図１に示す如く、記録装置１００は、例えば外部記憶媒体１２３であるメモリーカード１０１やデジタルカメラ１０３を、記録装置１００に設けられたインターフェース（以下、「Ｉ／Ｆ」）部１２４であるカードスロットＩ／Ｆ１０２やＵＳＢ
Ｉ／Ｆ１０４と着脱可能に接続することができる。記録装置１００において、制御部１０６は、ユーザがメモリーカード１０１やデジタルカメラ１０３を接続すると、カードスロットＩ／Ｆ１０２やＵＳＢ
Ｉ／Ｆ１０４を介して、メモリーカード１０１やデジタルカメラ１０３のファイルにアクセスすることができる。
【００２０】
そして、アクセスした結果、画像データが存在すれば、表示部１０５に画像データを表示することができる。表示された画像データを記録装置内に保存するときは、保存スイッチ（以下、単に「ＳＷ」と記す）１０７を押すだけで保存することができる。一方、表示された画像データではなく、他の画像データを表示させる場合は、選定ＳＷ１２６を操作して表示される画像を変えることができる。即ち、ユーザは、選定ＳＷ１２６を操作して好みの画像データを表示させてから、保存ＳＷ１０７を操作すると、該好みの画像を保存することができる。また、好みの画像データが表示されたときに、印刷ＳＷ１０８を操作すると該好みの画像データを記録用紙に印刷することができる。
【００２１】
符号１０９が示すのは、記録装置内の記憶装置１２５としてのストレージデバイスである。ストレージデバイス１０９の中には、予め６つのフォルダ１〜６
１０９ａ〜ｆが備えられている。フォルダ１〜６ １０９ａ〜ｆに対応するようにフォルダ数と同数の記憶領域のグループＳＷ１〜６ １１０ａ〜ｆが設けられている。記憶領域選択ＳＷ１１０のＳＷ１〜６
１１０ａ〜ｆそれぞれに表示内容を示すラベル（以下、ＳＷラベル）１１１ａ〜ｆが付されている。例えば、ユーザがラベル「運動会」１１１ｅと付されたＳＷ５ １１０ｅを操作するとフォルダ５
１０９ｅが選択される。従って、前述した保存ＳＷ１０７を操作して画像データを保存するとき、ＳＷラベル１１１ａ〜ｆの付された記憶領域選択ＳＷ１１０ａ〜ｆを操作することで、保存先の記憶領域としてのグループをフォルダ１０９ａ〜ｆの中から選択することができる。即ち、ユーザにとって、ストレージデバイス内に設けられたグループとしてのフォルダ１〜６
１０９ａ〜ｆは所謂ブラックボックスであって、フォルダ１〜６ １０９ａ〜ｆとＳＷ１〜６ １１０ａ〜ｆとの間の破線矢印で示した関連付けを考慮する必要がない。従って、ユーザは、煩わしいフォルダ名およびファイル名を考慮せずに容易に操作することができる。
【００２２】
本実施形態の記録装置１００は、ホストコンピュータを介さずに外部記憶媒体１２３と着脱可能に接続するインターフェース部１２４と、画像データを表示する表示部１０５と、画像データを記憶する記憶装置１２５と、表示部１０５及び記録装置１００の動作を制御する制御部１０６とを備えた記録装置１００であって、制御部１０６は入力画像データの有無を判断し、入力画像データが有る場合は、該入力画像データを表示し、表示された入力画像データの保存場所の選択として、記憶装置１２５の中に複数グループ設けられた中から一または複数グループをユーザに選択させる選択手段１１３と、前記表示された入力画像データの保存の可否をユーザに決定させる決定手段１２０とを備え、選択手段１１３と決定手段１２０とにより前記選択されたグループ内に画像データを保存することを特徴とする。
【００２３】
従って、選択手段１１３によって、例えばテーマ毎に複数あるアルバムの中から１つのアルバム「運動会」を選択するように、選択手段１１３の記憶領域選択ＳＷ１１０により保存先グループ「運動会」１０９ｅを選択することができる。また、入力画像データが表示されるので、１枚１枚画像データの内容を見ながら保存するかを決定することができる。即ち、ユーザは、ツリー状に表示されたフォルダ名および画像ファイル名を見ることなく操作することができるので、操作方法に困惑する虞がない。例えば、デジタルカメラ１０３で撮影した運動会の画像データの内容を１枚１枚見て、家族みんなで思い出を楽しみながらアルバムとしての保存先グループ「運動会」１０９ｅにまとめて保存することができる。このように操作が容易なため、コンピュータの操作に精通していない年配者や幼児でも操作することができ、記録装置１００の対象年齢層の幅を拡げることができる。
【００２４】
そのうち、本実施形態の選択手段１１３の記憶領域選択ＳＷ１１０は、複数グループである複数フォルダ１０９ａ〜ｆと同数のスイッチ１１０ａ〜ｆを備えていることを特徴とする。  
従って、複数フォルダ１０９ａ〜ｆと同数のスイッチ１１０ａ〜ｆとを対応させることができる。即ち、ユーザは前記保存先グループである複数フォルダ１０９ａ〜ｆを表示部１０５において探す必要がなく、前記同数のスイッチ１１０ａ〜ｆによって容易にアルバムとしての保存先グループである複数フォルダ１０９ａ〜ｆを選択することができる。例えば、タッチパネル式の表示部１０５に表示された複数のグループ１０９ａ〜ｆの中から保存先グループをワンタッチで選択することも可能である。さらに、予めストレージデバイス１０９の中に複数フォルダ１０９ａ〜ｆが設けられているので、新たにフォルダを作成するといった煩雑な操作を必要としない。
【００２５】
また、それぞれに対応するスイッチにラベル表示（以下、ＳＷラベル）を付すことも可能である。例えば、ＳＷ５
１１０ｅにはラベル「運動会」１１１ｅを付すことにより、スイッチごとのカテゴリーが一目瞭然に理解することが可能となる。即ち、ラベル「運動会」１１１ｅが付されたＳＷ５
１１０ｅを選択するだけで対応したグループ「運動会」のフォルダ５ １０９ｅをワンタッチで容易に選択することができる。尚、ＳＷラベル１１１はユーザの手書きでも、予め印刷されたテーマを表すイラストでもよい。
【００２６】
さらに、本実施形態の選択手段１１３のスイッチは機械式プッシュスイッチであり、制御部１０６は、前記選択された情報を表示部１０５に表示させることを特徴とする。  
従って、コンピュータの操作に精通していないユーザでも、どこを押して操作するのか一目瞭然である。即ち、該ユーザでも操作方法に困惑することなく、容易に操作することができる。例えば、ユーザが複数のグループ１０９ａ〜ｆの中から保存先グループ「運動会」１０９ｅを選択したい場合は、ＳＷ５
１１０ｅを押すだけで該保存先グループ「運動会」１０９ｅをワンタッチで選択することが可能である。  
また、制御部１０６は、前記選択された情報を表示部１０５に表示させるので、ユーザが選択した後、即ち、記憶領域選択ＳＷ１１０から手を離した後であっても、ユーザは、何が選択されているかを容易に知ることができる。  
さらに、スイッチを色分けすることも可能である。例えば、親がスイッチの色を指示することにより、字を読むことができない幼児でも、操作することができる。
【００２７】
図２に示すのは、本発明に係る実施形態の第１の制御方法の操作手順を示すフローチャートであり、図１に示す記録装置１００を用いて、外部記憶媒体１２３から記憶装置１２５であるストレージデバイス１０９のフォルダに画像データを振り分けて保存する手順についてである。  
先ず、ステップ（以下、単に「Ｓ」と記す）２１では、銀塩写真を保存するアルバムを選択するように、ユーザは保存先の記憶領域としてのグループ１０９ａ〜ｆを機械式プッシュスイッチ１１０ａ〜ｆで選択する。  
Ｓ２２では、インターフェース部１２４を介して外部記憶媒体１２３から入力される入力画像の有無を確認する。入力画像がある場合はＳ２３へ進み、一方、入力画像がない場合は入力画像がない旨を表示部１０５に表示してＳ２６、Ｓ２７へ進む。
【００２８】
Ｓ２３では、入力画像を表示部１０５に表示する。このとき、入力画像が複数存在する場合であっても、ユーザが操作に困惑しないように１枚づつ表示する。  
Ｓ２４では、ユーザが、表示された入力画像を保存するか否かを決定する。保存する場合は保存ＳＷ１０７を押してＳ２５へ進み、一方、保存しない場合はＳ２８へ進む。  
Ｓ２５では、Ｓ２１で選択した記憶領域のフォルダ内に画像データがコピー・保存される。
【００２９】
Ｓ２６では、Ｓ２２で入力画像が存在しなかった場合、Ｓ２１で選択された記憶領域のフォルダ内の画像データを１枚づつ表示する。  
Ｓ２７では、フォルダ内の画像データが複数存在する場合、選定ＳＷ１２６を押すことにより、アルバムのページをめくるようにＳ２６で表示された画像データと異なった画像データを表示することができる。例えば、フォルダ内にファイル名が複数存在しリスト状になっている場合であっても、選定ＳＷ１２６を押すだけで表示される画像データをかえることができる。即ち、ユーザは、煩わしいフォルダ内のファイル名のリストを見ることなく、表示部１０５に表示された画像データを選定することができる。
【００３０】
Ｓ２８では、Ｓ２５で表示部１０５に表示された画像データ、または、Ｓ２７で表示部１０５に表示された画像データが表示されている。このとき、ユーザが表示部１０５に表示された画像データを印刷するか否かを決定する。印刷する場合は印刷ＳＷ１０８を押し、一方、印刷しない場合は終了する。  
Ｓ２９では、Ｓ２８で表示されている画像データが印刷され終了する。  
以上のように説明したのは、１つの画像データを保存する画像データ保存方法としての保存工程、１つの画像を選定する選定工程、および表示した画像を印刷する印刷工程である。従って、入力画像が複数ある場合は、Ｓ２１から同じ手順を繰り返せばよい。
【００３１】
また、印刷工程において、印刷履歴を保持する場合、複製と違って実体のない分身、所謂エイリアスを作ることによって、データ量を削減することも可能である。即ち、印刷履歴に残るファイル名とアルバムとしての各記憶領域１０９ａ〜ｆのフォルダ内に存在する実データとをリンクさせる。従って、印刷履歴から再度印刷を実行する場合であっても、フォルダ内の実データを読み取るので、印刷を繰り返してもデータ量は殆ど増えることがない。
【００３２】
本実施形態の第１の画像データ保存方法は、ホストコンピュータを介さずに外部記憶媒体１２３と着脱可能に接続するインターフェース部１２４と、画像データを表示する表示部１０５と、画像データを記憶する記憶装置１２５とを備えた記録装置１００の制御方法であって、Ｓ２１に示す如く、選択手段１１３によって複数設けられた記憶領域の中から保存先の記憶領域１０９ａ〜ｆをユーザが選択する選択工程と、保存先の記憶領域１０９ａ〜ｆを選択した後、Ｓ２２に示す如く、入力画像データの有無を判断し、入力画像データが有る場合は、Ｓ２３に示す如く、該入力画像データを表示し、Ｓ２４に示す如く、表示された入力画像データの保存の可否をユーザが決定し、Ｓ２５に示す如く、保存先の記憶領域内に画像データを保存する保存工程とを具備したことを特徴とする。
【００３３】
その結果、先ず選択工程Ｓ２１によって、例えばテーマ毎に複数あるアルバムの中から１つのアルバム「運動会」を選択するように、ラベル「運動会」１１１ｅが付されたＳＷ５
１１０ｅを押すことにより、保存先の記憶領域「運動会」１０９ｅを選択することができる。次に、入力画像データが表示されるので、１枚１枚画像データの内容を見ながら保存するかを決定することができる。即ち、ユーザは、アルバムを選択した後に写真をアルバムにレイアウトする如く、ツリー状に表示されたフォルダ名および画像ファイル名を見ることなく操作することができるので、操作方法に困惑する虞がない。例えばデジタルカメラ１０３で撮影した運動会の画像データの内容を１枚１枚見て、家族みんなで思い出を楽しみながらアルバムとしての保存先の記憶領域「運動会」１０９ｅにまとめて保存することができる。このように操作が容易なため、コンピュータの操作に精通していない年配者や幼児でも、操作することができ、記録装置１００の対象年齢層の幅を拡げることができる。  
また、膨大な画像データを簡便な操作でテーマ毎にグループ化することができるのは勿論である。
【００３４】
続いて、本発明に係る実施形態の第２の制御方法について説明する。  
図３に示すのは、本発明に係る実施形態の第２の制御方法の操作手順を示すフローチャートであり、図１に示す記録装置１００を用いて、外部記憶媒体１２３から記憶装置１２５であるストレージデバイス１０９のフォルダに画像データを振り分けて保存する手順についてである。  
先ず、ステップ（以下、単に「Ｓ」と記す）３１では、インターフェース部１２４を介して外部記憶媒体１２３から入力される入力画像の有無を確認する。入力画像がある場合はＳ３２へ進み、一方、入力画像がない場合はＳ３６へ進む。  
Ｓ３２では、入力画像を表示部１０５に表示する。このとき、入力画像が複数存在する場合であっても、ユーザが操作に困惑しないように１枚づつ表示する。
【００３５】
Ｓ３３では、ユーザが、表示された入力画像を保存するか否かを決定する。保存する場合は保存ＳＷ１０７を押してＳ３４へ進み、一方、保存しない場合はＳ３８へ進む。  
Ｓ３４では、銀塩写真を保存するアルバムを選択する感覚で、ユーザは保存先の記憶領域１０９ａ〜ｆを機械式プッシュスイッチ１１０ａ〜ｆで選択する。  
Ｓ３５では、Ｓ３４で選択した記憶領域のフォルダ内に画像データがコピー・保存される。
【００３６】
Ｓ３６では、Ｓ３１で入力画像が存在しなかった場合、銀塩写真が保存されたアルバムを選択する感覚で、ユーザは記憶領域１０９ａ〜ｆを機械式プッシュスイッチ１１０ａ〜ｆで選択する。  
Ｓ３７では、Ｓ３６で選択された記憶領域のフォルダ内の画像データを１枚づつ表示する。  
Ｓ３８では、フォルダ内の画像データが複数存在する場合、選定ＳＷ１２６を押すことにより、アルバムのページをめくるようにＳ３７で表示された画像データと異なった画像データを表示することができる。例えば、フォルダ内にファイル名が複数存在しリスト状になっている場合であっても、選定ＳＷ１２６を押すだけで表示される画像データをかえることができる。即ち、ユーザは、煩わしいフォルダ内のファイル名のリストを見ることなく、表示部１０５に表示された画像データを選定することができる。
【００３７】
Ｓ３９では、Ｓ３５で表示部１０５に表示された画像データ、または、Ｓ３８で表示部１０５に表示された画像データが表示されている。このとき、ユーザが表示部１０５に表示された画像データを印刷するか否かを決定する。印刷する場合は印刷ＳＷ１０８を押し、一方、印刷しない場合は終了する。  
Ｓ４０では、Ｓ３９で表示されている画像データが印刷され終了する。  
以上のように説明したのは、１つの画像データを表示させる画像表示工程Ｓ３２、１つの画像データを保存するか否かの決定工程Ｓ３３、保存場所を選択する選択工程Ｓ３４、１つの画像を選定する選定工程Ｓ３８、および表示した画像を印刷する印刷工程Ｓ３９である。従って、入力画像が複数ある場合は、Ｓ３１から同じ手順を繰り返せばよい。
【００３８】
また、印刷工程において、印刷履歴を保持する場合、複製と違って実体のない分身、所謂エイリアスを作ることによって、データ量を削減することも可能である。即ち、印刷履歴に残るファイル名とアルバムとしての各記憶領域１０９ａ〜ｆのフォルダ内に存在する実データとをリンクさせる。従って、印刷履歴から再度印刷を実行する場合であっても、フォルダ内の実データを読み取るので、印刷を繰り返してもデータ量は殆ど増えることがない。
【００３９】
本実施形態の画像データ制御方法は、ホストコンピュータを介さずに外部記憶媒体１２３と着脱可能に接続するインターフェース部１２４と、画像データを表示する表示部１０５と、画像データを記憶する記憶装置１２５と、前記表示部１０５及び記録装置１００の動作を制御する制御部１０６とを備えた記録装置１００の画像データ制御方法であって、前記制御部１０６が入力画像データの有無を判断し（Ｓ３１）、前記入力画像データが有る場合は、該入力画像データを表示する画像表示工程（Ｓ３２）と、前記画像表示工程（Ｓ３２）の後に、前記記憶装置の中に複数設けられた記憶領域の中から一または複数の記憶領域をユーザに選択させる選択工程（Ｓ３４）と、前記画像表示工程（Ｓ３２）の後に、前記表示された入力画像データの保存の可否をユーザに決定させる決定工程（Ｓ３３）とを備え、前記選択工程（Ｓ３４）と前記決定工程（Ｓ３３）とにより前記選択された記憶領域内に画像データを保存することを特徴とする。
【００４０】
その結果、先ず、入力画像データが表示されるので、１枚１枚画像データの内容を見ながら保存するかを決定することができる。次に、選択工程Ｓ３４によって、例えばテーマ毎に複数あるアルバムの中から１つのアルバム「運動会」を選択するように、ラベル「運動会」１１１ｅが付されたＳＷ５
１１０ｅを押すことにより、保存先の記憶領域「運動会」１０９ｅを選択することができる。即ち、ユーザは、写真を見て保存しようとする写真を手にした後にアルバムを選択する如く、ツリー状に表示されたフォルダ名および画像ファイル名を見ることなく操作することができるので、操作方法に困惑する虞がない。  
例えばデジタルカメラ１０３で撮影した運動会の画像データの内容を１枚１枚見て、家族みんなで思い出を楽しみながらアルバムとしての保存先の記憶領域「運動会」１０９ｅにまとめて保存することができる。このように操作が容易なため、コンピュータの操作に精通していない年配者や幼児でも、操作することができ、記録装置１００の対象年齢層の幅を拡げることができる。
【００４１】
尚、決定工程Ｓ３３と選択工程Ｓ３４とは、どちらを先にユーザに実行させるようにしてもよい。これらは、先にアルバムとしての保存先の記憶領域を選択するか、先に写真の保存の可否を決定するかの点において異なる。画像データを容易に保存することができるのは共通であるが、ユーザによってどちらが使い勝手がよいかでも異なる。また、複数の入力画像データの画像内容が、一つのテーマに統一されていれば、一つの記憶領域にまとめることが好ましいので、先にアルバムを選択する画像データ保存方法を用いるのがよい。一方、複数の入力画像データの画像内容が、一つのテーマに統一されていなければ、先に画像写真を見てから各テーマ別の記憶領域ごとにまとめるのが好ましいので、後にアルバムを選択する画像データ保存方法を用いるのがよい。  
また、膨大な画像データを簡便な操作でテーマ毎にグループ化することができるのは勿論である。
【００４２】
続いて、本発明に係る他の実施形態について説明する。  
他の実施形態は、図１において選択手段１１３を機械式ロータリＳＷ（図示せず）に変更したことを特徴とする。  
その結果、スイッチ１つでシンプル、かつ、スイッチを回すだけで操作を簡単にすることができる。例えば、機械式ロータリＳＷのダイヤル部にラベル１１１のグループ名、または該グループのイラストを記載して、現在、どの記憶領域１０９ａ〜ｆが選択されているかを示すことも可能である。
【００４３】
さらに、他の実施形態において、機械式ロータリＳＷで選択する複数の記憶領域１０９ａ〜ｆは、表示部１０５にグループ名（１１１ａ〜ｆ）が表示されることを特徴とする。  
その結果、表示部１０５に大きくラベル１１１のグループ名を表示することができる。さらに、ダイヤル部にグループ名、または該グループのイラストを記載された機械式ロータリＳＷであっても、該ダイヤル部を小さくすることが可能である。
【００４４】
尚、本発明は上記実施例に限定されることなく、特許請求の範囲に記載した発明の範囲内で、種々の変形が可能であり、それらも本発明の範囲内に含まれるものであることは言うまでもない。例えば、本実施形態では、ストレージデバイス１０９の中に６つのフォルダ１〜６
１０９ａ〜ｆと、それと同数の記憶領域ＳＷ１〜６ １１０ａ〜ｆとしたが、フォルダの数は６つに限定されないのは勿論である。
【図面の簡単な説明】
【００４５】
【図１】本発明に係る実施形態の記録装置の制御方法を示すブロック図。
【図２】本発明に係る実施形態の第１の制御方法の操作手順を示すフローチャート。
【図３】本発明に係る実施形態の第２の制御方法の操作手順を示すフローチャート。
【符号の説明】
【００４６】
１００  記録装置、１０１  メモリーカード、１０２  カードスロットＩ／Ｆ、
１０３  デジタルカメラ、１０４  ＵＳＢ Ｉ／Ｆ、１０５  表示部、１０６  制御部、
１０７  保存ＳＷ、１０８  印刷ＳＷ、１０９  ストレージデバイス、
１０９ａ〜ｆ  フォルダ１〜６、１１０  記憶領域選択ＳＷ、１１０ａ〜ｆ  ＳＷ１〜６、
１１１  ＳＷラベル、１１３  選択手段、１２０  決定手段、
１２１  選定手段、１２２  印刷手段、１２３  外部記憶媒体、
１２４  インターフェース部、１２５  記憶装置、１２６  選定ＳＷ
【図１】
2006212852.tif 000003
【図２】
2006212852.tif 000004
【図３】
2006212852.tif 000005